(57)【特許請求の範囲】
【請求項１】
基板に実装された安定化電圧発生回路によって発生した出力電圧を端子台から導出された導電板を介して該端子台の出力端子に供給すると共に、出力電圧を前記安定化電圧発生回路にフィードバックすることにより出力電圧を所定電圧に制御するスイッチングレギュレータ電源装置に於いて、
一方の位置に印刷配線板に固定するための固定リードを設け、他方の位置に出力端子用電極から基板の回路に達する部位まで延在させかつ固定機能を兼ねるセンシングリードを備えた端子台を有することを特徴とするスイッチングレギュレータ電源装置。
【発明の詳細な説明】
【０００１】
【発明の属する技術分野】
本発明は、大電流を伴う出力電圧を発生するスイッチングレギュレータ電源装置に関する。
【０００２】
【従来の技術】
従来、スイッチングレギュレータ電源装置で発生した電圧を他の装置に供給する場合、コネクタを介して出力することが多いが、出力電流が多くなると接触抵抗による電圧降下が無視できなくなるので、端子台を設け接続線を端子台にネジ止めすることが行われている。
【０００３】
また、出力電流が大きくなると接続リードも太いものが必要になり、端子台に掛かる力が無視できなくなるので端子台に固定用端子を設け、その固定用端子を基板に固定していた。
【０００４】
更に出力電流が大きくなると基板に引き回した回路パターンを太いものにしても電圧降下が大きくなるので、回路パターンで出力電圧を端子台に接続するのは実用的ではなくなり、この対策として端子台から導電板が導出されるようにしておき、出力安定化電圧発生回路付近に導電板を接続することによって安定化電圧発生回路から端子台までの電圧降下が少なくなるようにしている。
【０００５】
このような構造にすることで、導電板での電圧降下は少なくできるものの、出力電流が大きくなると導電板を基板の回路部分に半田付け接続した部分の電圧降下が無視できなくなる。この電圧降下を補償するには端子台の出力端子の電圧を安定化電圧発生回路にフィードバックし、出力端子の電圧が所望の電圧になるようにしている。
【０００６】
【発明が解決しようとする課題】
しかしながら、このような構造にすると、出力端子の電圧を安定化電圧発生回路にフィードバックするための接続線を端子台と基板との間に接続する必要があり、接続のための作業が基板組立工程と別に必要となると共に、接続忘れなどの事故も発生する可能性がある。
【０００７】
本発明は、基板組立工程によって全ての組立を終了することにより、センシングのための接続線配線工数を省略すると共に、接続忘れが発生しないスイッチングレギュレータ電源装置を提供することを目的とする。
【０００８】
【課題を解決するための手段】
この目的を達成するために、本発明のスイッチングレギュレータ電源装置は次のように構成する。
【０００９】
先ず本発明は、基板に実装された安定化電圧発生回路によって発生した出力電圧を端子台から導出された導電板を介して端子台の出力端子に供給すると共に、出力電圧を安定化電圧発生回路にフィードバックすることにより出力電圧を所定電圧に制御するスイッチングレギュレータ電源装置を対象とする。
【００１１】
そして一方の位置に印刷配線板に固定するための固定リードを設け、他方の位置に出力端子用電極から基板の回路に達する部位まで延在させかつ固定機能を兼ねるセンシングリード備える端子台を有することを特徴とする。このような本発明の装置によれば、基板の回路に達するように設けられているセンシングリードを介して出力電圧の情報が基板の回路に与えられるので、組立工程だけで全ての作業を終えることができ、組立完了後の作業が不要になると共に、センシングリード接続線の接続忘れ事故が発生しない。
【００１２】
【発明の実施の形態】
図１は本発明の実施形態を示す回路図である。安定化電圧発生回路１０で発生した電圧は、安定化電圧発生回路１０の出力端子近辺に設けられたパターン１２，１４に出力される。パターン１２，１４には複数の接続用ランド１２ａ〜１２ｅおよび１４ａ〜１４ｅが設けられており、端子台１６から導出された導電板１８，２０がそのランドに接続される。
【００１３】
導電板１８，２０は厚手の銅板等で構成することによって電圧降下が少なくなるようしている。端子台１６及び導電板１８，２０は図２の斜視図に示す構造となっており、導電板１８は直線部１８ａの所定の位置から図では上方向に折れ曲がっている折り曲げ部１８ｂを有しており、折り曲げ部１８ｂの先端部が端子台１６の内部でプラス側の端子１６ａおよび１６ｂの両方に電気的に接続されている。同様に導電板２０も直線部２０ａの所定の位置から図では上方向に折れ曲がっている折り曲げ部２０ｂを有しており、折り曲げ部２０ｂの先端部が端子台１６の内部でマイナス側端子１６ｃ、１６ｄの両方に接続されている。
【００１４】
端子台１６は底面１６ｅが基板の部品面に搭載されるようになっており、底面１６ｅから端子台１６を基板に固定するための固定リード１６ｆ、１６ｇが突出している。
【００１５】
導電板１８，２０の折り曲げ部１８ｂ，２０ｂにおける端子台１６に最も近い部分の端面から固定リード１６ｆ、１６ｇと同一方向に突出する状態で、センシングリード１８ｃ，２０ｃが形成されている。また水平部１８ａ、２０ａの端面からセンシングリード１８ｃ，２０ｃと同一方向に図１のランド１２ａ〜１２ｅおよび１４ａ〜１４ｅに挿入するための櫛歯状の突起１８ｄ〜１８ｈ、２０ｄ〜２０ｈが突出している。
【００１６】
センシングリード１８ｃ，２０ｃは図１のランド２２，２４に挿入され、端子台１６の部分の電圧が基板に設けられたパターン２６，２８を介して安定化電圧発生回路１０にフィードバックされ、端子台１６の部分の出力電圧が所定の値になるように制御される。
【００１７】
図３は端子台１６が基板３０に実装されたときの平面図であり、図２の固定リード１６ｆ，１６ｇ、センシングリード１８ｃ，２０ｃ、突起１８ｄ〜１８ｈ、２０ｄ〜２０ｈが基板３０は回路まで達する長さを有しており、回路に半田付けされて固定され、水平部１８ａ，２０ａの突起が安定化電圧発生回路１０の付近のランド１２ａ〜１２ｅ、１４ａ〜１４ｅに半田付けされ、固定されている。
【００１８】
このように構成することによって安定化電圧発生回路１０から導電板１８，２０までのパターンを短くすることができ、パターン部分での電圧降下を少なくすることができる。導電板１８，２０の突起１８ｄ〜１８ｈ、２０ｄ〜２０ｈの部分は半田付けであるからここで多少の電圧降下が発生するが、導電板１８，２０は厚手の銅板等で構成されているので導電板１８，２０ではほとんど電圧降下のない状態で、安定化電圧発生回路１０で発生した電圧は端子台１６に供給される。
【００１９】
端子台１６に近い位置にセンシングリード１８ｃ、２０ｃが設けられているので、端子台１６付近の電圧を基板３０のパターンを介して安定化電圧発生回路１０にフィードバックすることで、端子台１６供給する電圧は所望の値にすることができる。
【００２０】
図４は端子台１６の変形例を示しセンシングリード１６ｈ，１６ｉを端子１６ａ〜１６ｄの付近に設けた例であり、厳密には図２のものよりもこの形状の方が端子１６ａ〜１６ｄの電圧をより正確に検出することができる。
【００２１】
図５は端子台１６の更に他の変形例であり、導電板１８，２０の突起１８ｄ，２０ｄをセンシングリードと兼用したものである。この構造のものはセンシングリードによる端子台１６の固定機能が期待できないので、端子台１６に固定リード１６ｊ，１６ｋを余分に設けているが、出力電流が少ない場合には端子台１６に接続する接続線もあまり太くする必要がないので、接続線に掛かる力も小さくなることから、固定リード１６ｊ，１６ｋは省略できる場合もある。
【００２２】
【発明の効果】
以上説明したように本発明によれば、端子台から導出された導電板のうち端子台に近い部分にセンシングリードを設けたので、従来基板組立後に接続が必要であったフィードバック用の接続線の接続肯定を省略でき、組立工数を削減できると共に接続忘れの事故を防ぐことができる。
【００２３】
また、センシングリードは端子台の固定機能も備えているので、端子台の固定リードの数を減らすことができ、端子台の構造を簡単なものにすることができるという効果を有する。
【図面の簡単な説明】
【図１】本発明を適用したスイッチングレギュレータ電源装置を示す回路図
【図２】本発明の一実施例を示す斜視図
【図３】端子台を基板に実装した状態を示す平面図
【図４】本発明の他の実施例を示す斜視図
【図５】本発明の他の実施例を示す斜視図
【符号の説明】
１０：安定化電圧発生回路
１６：端子台
１６ａ〜１６ｄ：端子
１６ｆ，１６ｇ：固定リード
１６ｊ，１６ｈ，１８ｃ，２０ｃ：センシングリード
１８，２０：導電板
１８ａ，２０ａ：直線部
１８ｂ，２０ｂ：折り曲げ部
３０：基板
【図１】
0003569219.tif 000002
【図２】
0003569219.tif 000003
【図３】
0003569219.tif 000004
【図４】
0003569219.tif 000005
【図５】
0003569219.tif 000006